(57)【特許請求の範囲】
【請求項１】
複数のパチンコ機を列設するパチンコ島台を構成する縦支柱の内側間隔下部の回収樋形成空間に形成される回収樋において、
前記回収樋形成空間の両側壁を構成する壁板の間に嵌合させる樋支持台の上部に樋部材を載置したことを特徴とするパチンコ島台における回収樋。
【請求項２】
前記壁板の下端を前記回収樋形成空間の内側下部にパチンコ島台の長手方向に沿って敷設される一対のＬ字型レールの内側に当接させると共に、前記壁板の上端をパチンコ機設置部の下方にパチンコ島台の長手方向に沿って敷設される壁板押えレールで係止したことを特徴とする請求項１記載のパチンコ島台における回収樋。
【発明の詳細な説明】
【０００１】
【産業上の利用分野】
本発明は、複数のパチンコ機を列設するパチンコ島台を構成する縦支柱の内側間隔下部の回収樋形成空間に形成される回収樋に関するものである。
【０００２】
【従来の技術】
周知のように、パチンコ島台の内側下部空間には、パチンコ島台に背向列設される各パチンコ機から排出される使用済玉を玉研磨揚送装置に導く回収樋が設けられている。そして、この回収樋は、従来、遊技場に設置された島台本体に対して、まず、パチンコ機の設置間隔毎に立設される島台支柱に樋部材を載置するためのレベル木を樋部材を載置したときに樋部材が傾斜状となるように段差状に打ち付け、その後、樋部材をレベル木に架設固定し、最後に樋部材の上部両側面を覆う壁板を樋部材の傾斜に一致するように台形状に加工しながら装着することにより形成していた。
【０００３】
【発明が解決しようとする課題】
このため、島台支柱毎に用意されたレベル木を所定の傾斜に沿って取り付ける作業が極めて面倒であり、また、島台支柱の間隔幅を有する壁板をそれぞれ対応する位置の樋部材の傾斜角度に一致するように加工する作業も極めて面倒であった。したがって、パチンコ島台の内部に回収樋を形成するための作業時間が大幅にかかるという欠点があった。本発明は、上記した問題点に鑑みなされたもので、その目的とするところは、パチンコ島台の内部に短時間に構成することができる回収樋を提供することにある。
【０００４】
【課題を解決するための手段】
上記した目的を達成するために、
請求項１に係る発明においては、複数のパチンコ機を列設するパチンコ島台を構成する縦支柱の内側間隔下部の回収樋形成空間に形成される回収樋において、前記回収樋形成空間の両側壁を構成する壁板の間に嵌合させる樋支持台の上部に樋部材を載置したことを特徴とするものである。
また、請求項２に係る発明においては、前記壁板の下端を前記回収樋形成空間の内側下部にパチンコ島台の長手方向に沿って敷設される一対のＬ字型レールの内側に当接させると共に、前記壁板の上端をパチンコ機設置部の下方にパチンコ島台の長手方向に沿って敷設される壁板押えレールで係止したことを特徴とするものである。
【０００５】
【作用】
請求項１に係る発明においては、パチンコ島台を構成する縦支柱の内側間隔下部の回収樋形成空間の両側壁を構成する壁板の間に、樋支持台を嵌合し、その樋支持台の上部に樋部材を載置したため、壁板の下端を従来のように樋部材の傾斜に沿って斜めに加工する必要がなく、極めて短時間に且つ簡単に回収樋を組み付けることができる。
また、請求項２に係る発明においては、一対のＬ字型レールをパチンコ島台の長手方向に沿って敷設し、このＬ字型レールの内側に壁板の下端を当接させると共に、壁板押えレールをパチンコ機設置部の下方にパチンコ島台の長手方向に沿って敷設し、この壁板押えレールで壁板の上端を係止したため、必要数のＬ字型レール、壁板、樋支持台、樋部材、及び壁板抑えレールを用意して遊技場に赴き、その遊技場で上記した手順で各部材を組み付けるだけでパチンコ島台の内部に回収樋を簡単に構成することができるので、従来のように加工作業が全く介入せず、極めて短時間に回収樋を構成することができる。
【０００６】
【実施例】
以下、図面を参照して本発明の実施例について説明する。まず、図１及び図４を参照して、実施例に係る回収樋２０が適用されるパチンコ島台１の全体の構成について説明する。図１は、パチンコ島台１の内部構造を示す長手方向と直交する方向で切断した断面図であり、図４は、パチンコ島台１の内部構造を示す長手方向に沿って切断した断面図である。パチンコ島台１は、周知のように、その中央部に多数のパチンコ機２を横方向に背向列設するように構成され、その背向列設されるパチンコ機２同志は、所定間隔をおいて設置される。そして、その所定間隔の下部が回収樋形成空間１１とされて回収樋２０が組み付けられるようになっている。
【０００７】
ところで、パチンコ島台１は、設置されるパチンコ機２の間隔毎に設けられる左右の縦支柱３と多数の横桟（一部図示しない）とを組み付けて構成されるものであるが、特にパチンコ機２の設置部下方の構成について、図１を参照して詳細に説明すると、本実施例における縦支柱３は、パチンコ機２の設置部より下方で外側に突出して形成され、その突出部の上辺に複数の縦支柱３を連結する横桟４が載置固定され、その横桟４の上部にパチンコ島台１の横幅よりも突出するカウンター台５が積層固定されている。カウンター台５の表面には、ステンレス製の装飾板６が装着され、遊技客が獲得した賞品玉を入れる玉箱を載置できるようにしている。また、縦支柱３の突出部の前方には、複数の縦支柱３を連結する横連結桟７が複数本固着され、その横連結桟７の前面に腰板８が張り付けられる。腰板８は、パチンコ島台１の下部表面を装飾するものである。更に、腰板８の下方に対応する縦支柱３は、突出していないが、その部分を覆うために下部装飾板１０が張り付けられている。この下部装飾板１０は、縦支柱３の下部に固着される下部横連結桟９の前面に張り付けられるようになっている。なお、左右の縦支柱３の内側間隔が前記回収樋形成空間１１の横幅を規制するようになっており、左右の縦支柱３の下部では、連結されている。
【０００８】
一方、前記したように背向列設されるパチンコ機２の間隔によって形成される回収樋形成空間１１に構成される回収樋２０の構成について図１乃至図４を参照して説明する。図１乃至図４のうち、図２は、回収樋２０を示す一部破断斜視図であり、図３は、回収樋２０を構成する部品の分解斜視図である。図において、回収樋２０は、Ｌ型レール２１と壁板２２と樋支持台２３と樋台２６とスノコ状樋２９と壁板押えレール３１とによって構成される。なお、樋台２６とスノコ状樋２９とは、樋部材を構成するものである。
【０００９】
まず、Ｌ型レール２１は、金属製のＬ型鋼で構成され、その直角部が前記縦支柱３の内側底面の直角部に合致するように装着固定される。この際、Ｌ型レール２１は、パチンコ島台１の長手方向の長さに沿って一対敷設されるので、複数の縦支柱３の間に差し渡されることになる。なお、Ｌ型レール２１の長さは、島端から玉揚送装置に至るまでの回収樋２０全体の長さに相当するものであっても良いし、あるいは、パチンコ島台１が複数台（例えば、４〜５台）のパチンコ機２を列設するユニット島単位で形成される場合には、そのユニット島の長さに相当する長さでも良い。
【００１０】
上記のように敷設固定されるＬ型レール２１の内側には、一対の壁板２２が当接されると共に、両壁板２２の間の下部に隣り合う同志の高さが等差数列的に変化する樋支持台２３が所定間隔毎に嵌入される。壁板２２は、パチンコ機２の横幅の８〜１０倍（これより短くても良い）の長さを有する一枚板の合板によって構成されて複数の縦支柱３の内側に差し渡され、樋支持台２３は、厚手の板材によって構成されるものである。また、樋支持台２３は、前記したように隣り合う同志の高さが等差数列的に異なるように形成されるが、すべての樋支持台２３の上部に次に説明する樋台２６の支持嵌入片２７を嵌合する樋嵌入凹部２４が形成され、下部両端に前記Ｌ型レール２１の厚さを逃げるための逃げ切欠部２５が形成されている。更に、樋支持台２３の設置間隔は、パチンコ機２の設置間隔と同じ間隔に設定され、図示の場合には、前記縦支柱３と同じ位置に嵌入されるようになっている。したがって、図示の実施例の場合には、樋支持台２３の下辺は、縦支柱３の横底辺に当接した状態となっている。なお、樋支持台２３は、壁板２２間に嵌合させることにより特に釘等で壁板２２に止着しなくてもその位置がずれることはないが、長期間の使用によって多少ずれる場合もあるので、例えば、接着剤等で壁板２２に接着固定することが望ましい。また、樋支持台２３の設置間隔もパチンコ機２の設置間隔と同じ間隔に設置する必要はなく、他の部材との強度の関係で必要に応じてその設置間隔を好適な間隔で設計すれば良い。
【００１１】
上記のように壁板２２の間に挾持される樋支持台２３の上部には、樋台２６が支持される。樋台２６は、合成樹脂による一体成型で構成されるもので、その下面に長手方向に沿って一対の支持嵌入片２７が突設され、その上面に長手方向に沿って断面Ｃ字状の一対の支持部２８が突設形成されている。しかして、支持嵌入片２７の間隔は、樋支持台２３の前記樋嵌入凹部２４の間隔よりも僅かに大きく形成されているので、支持嵌入片２７を樋嵌入凹部２４に嵌め込むことにより樋台２６が樋支持台２３に堅固に支持されることとなる。しかして、樋台２６を樋支持台２３に装着支持したときには、隣り合う同志の樋支持台２３の高さが等差数列的に形成されているので、樋台２６が所定の傾斜角度を有して設置されることとなり、したがって、樋台２６に装着される次に説明するスノコ状樋２９も所定の傾斜角度を有して設置されることとなる。なお、この樋台２６の長さは、島端から玉揚送装置に至るまでの回収樋２０全体の長さに相当するものであっても良いし、あるいは、パチンコ島台１が複数台（例えば、４〜５台）のパチンコ機２を列設するユニット島単位で形成される場合には、そのユニット島の長さに相当する長さでも良い。また、樋台２６の横幅は、一対の壁板２２間の横幅よりもやや短い寸法に設計されている。
【００１２】
上記した樋台２６の上部には、回収樋本体を構成するスノコ状樋２９が着脱自在に装着される。即ち、スノコ状樋２９は、合成樹脂による一体成型で構成されるもので、その両端が上方に折曲された樋状となっていると共に、その裏面の前記樋台２６の横幅寸法に対応する左右位置に係止爪３０が長手方向に複数個突設されている。係止爪３０は、前記支持部２８の高さ寸法とほぼ同じ長さ位置に内側に折れた爪部を有しており、このため、スノコ状樋２９を上方から樋台２６に押し込むことにより係止爪３０が樋台２６の支持部２８の下部裏面に形成されることとなり、これによりスノコ状樋２９を樋台２６に装着することができる。また、スノコ状樋２９は、その底面がパチンコ玉が落下しないような間隔で簀の子状に形成され、その簀の子状の間隔から玉と一緒になって落下するゴミや塵等を下方に落下させるようになっている。なお、スノコ状樋２９の長さも、島端から玉揚送装置に至るまでの回収樋２０全体の長さに相当するものであっても良いし、あるいは、パチンコ島台１が複数台（例えば、４〜５台）のパチンコ機２を列設するユニット島単位で形成される場合には、そのユニット島の長さに相当する長さでも良い。また、スノコ状樋２９の横幅は、一対の壁板２２間の横幅とほぼ同じ寸法に設計されている。
【００１３】
一方、複数の縦支柱３の内側に差し渡される前記壁板２２の上端は、その先端部がＬ字状に曲折された壁板押えレール３１によって掛け止められることにより、支持固定される。即ち、壁板押えレール３１は、合成樹脂による一体成型で構成されるもので、縦支柱３の上部に延設される上部延設支柱部３ａを貫通させる支持部貫通穴３２が縦支柱３の間隔と同じ間隔で形成されている。しかして、支持部貫通穴３２に上部延設支柱部３ａを貫通させた状態で先端の曲折部で壁板２２の上端を掛け止め、一方上部水平面を前記カウンタ台５の後端部に当接させてネジ止めして係止している。このように構成することにより、パチンコ機設置部より下方の内側空間の側面が壁板２２によって完全に閉塞されるため、パチンコ機２から排出される使用済玉が回収樋形成空間１１の外側に飛び出ることはなく、確実にスノコ状樋２９上に落下させることができるものである。
【００１４】
以上、回収樋２０の構成について説明してきたが、本実施例に係る回収樋２０は、まず、パチンコ島台１を構成する縦支柱３の内側下部に一対のＬ字型レール２１を敷設し、該Ｌ字型レール２１の内側それぞれに壁板２２の下端を当接させると共に、両壁板２２の下部間隔に隣り合う同志の高さが等差数列的に変化する樋支持台２３を所定間隔毎に嵌入し、その嵌入した樋支持台２３の上部に樋台２６及びスノコ状樋２９からなる樋部材を載置し、最後に壁板２２の上端をパチンコ島台１の長手方向に沿ってパチンコ機設置部の下方に敷設される壁板押えレール３１で係止することにより、各パチンコ機２から排出される使用済の排出玉を外に漏れることなく回収する回収樋２０がパチンコ島台１の内部に構成される。つまり、本実施例においては、必要数のＬ字型レール２１、壁板２２、樋支持台２３、樋台２６、スノコ状樋２９、及び壁板抑えレール３１を用意して遊技場に赴き、その遊技場で上記した手順で各部材を組み付けるだけでパチンコ島台１の内部に回収樋２０を簡単に構成することができるので、従来のように加工作業が全く介入せず、極めて短時間に回収樋２０を構成することができる。また、本実施例においては、回収樋２０の下部部材として金属製のＬ字型レール２１をパチンコ島台１の長手方向に沿って引き通すので、回収樋２０ばかりでなくパチンコ島台１全体の強度を高めることもできる。更に、回収樋２０を構成するＬ字型レール２１、壁板２２、樋支持台２３、樋台２６、スノコ状樋２９、及び壁板抑えレール３１の各部材は、規格化することが可能であるため、大量に生産して在庫として貯蔵しておくこともできる。
【００１５】
なお、上記した実施例では、樋部材として樋台２６とスノコ状樋２９の２つの構成部品からなるものを示したが、１つの構成部品によって構成される樋部材であっても良い。また、スノコ状樋２９もその底面全面に亘ってゴミや塵が落下する間隔がある必要はなく、例えば、底面の両端部だけにゴミや塵を落下させる空間部を設け、他の底面部は、玉が流れ易いように凹凸面としたものでも良い。
【００１６】
【発明の効果】
以上、説明したところから明らかなように、請求項１に係る発明においては、壁板の下端を従来のように樋部材の傾斜に沿って斜めに加工する必要がなく、極めて短時間に且つ簡単に回収樋を組み付けることができる。
また、請求項２に係る発明においては、必要数のＬ字型レール、壁板、樋支持台、樋部材、及び壁板抑えレールを用意して遊技場に赴き、その遊技場で所定の手順で各部材を組み付けるだけでパチンコ島台の内部に回収樋を簡単に構成することができるので、従来のように加工作業が全く介入せず、極めて短時間に回収樋を構成することができる。
【図面の簡単な説明】
【図１】パチンコ島台の内部構造を示す長手方向と直交する方向で切断した断面図である。
【図２】回収樋を示す一部破断斜視図である。
【図３】回収樋を構成する部品の分解斜視図である。
【図４】パチンコ島台の内部構造を示す長手方向に沿って切断した断面図である。
【符号の説明】
１  パチンコ島台
２  パチンコ機
３  縦支柱
１１  回収樋形成空間
２０  回収樋
２１  Ｌ字型レール
２２  壁板
２３  樋支持台
２６  樋台（樋部材）
２９  スノコ状樋（樋部材）
３１  壁板押えレール
【図１】
0003767913.tif 000002
【図２】
0003767913.tif 000003
【図３】
0003767913.tif 000004
【図４】
0003767913.tif 000005